(57)【特許請求の範囲】
【請求項１】
半剛性の吸収体を含む紙おむつ本体と、内面用バックシート不織布と外面用バックシート不織布とを貼り合わせ、前記紙おむつ本体の外面側に一体的に設けられる本体バックシートとからなり、前記内面用バックシート不織布と外面用バックシート不織布との間に、少なくとも一方の脚回りの前身頃端から股間部を巡って他方の脚回りの前身頃端に連続して配設された１または複数の脚回り第１弾性伸縮部材と、一方の脚回りの後身頃端から股間部を巡って他方の脚回りの後身頃端に連続して配設された１または複数の脚回り第２弾性伸縮部材とを固定し、製品状態で前記本体バックシートの前身頃と後身頃とをその両側部において接合することによってパンツ型としたパンツ型使い捨て紙おむつであって、
前記紙おむつ本体は、前記脚回り第１弾性伸縮部材および脚回り第２弾性伸縮部材が吸収体配設部位を横断している股間領域において前記本体バックシートと非接着とされ、他の領域の全部または一部において接着剤によって接着され一体化されていることを特徴とするパンツ型使い捨て紙おむつ。
【請求項２】
前記股間領域における紙おむつ本体の非接着領域は、前記脚回り第１弾性伸縮部材および脚回り第２弾性伸縮部材が紙おむつの脚回りラインに沿って連続し、股間部において紙おむつの幅方向に向きを変えている変曲点を含む領域としてある請求項１記載のパンツ型使い捨て紙おむつ。
【発明の詳細な説明】
【０００１】
【発明の属する技術分野】
本発明は、股間部において吸収体によるゴワ付き感を無くすとともに、股間部からの横漏れを確実に防止するようにしたパンツ型使い捨て紙おむつに関する。
【０００２】
【従来の技術】
従来より、おむつ離れを促進する、或いはその都度止着テープを用いての装着作業から大人を解放し、装着を簡便化するなどの目的のために、パンツ型使い捨て紙おむつがテープ型使い捨て紙おむつと共に市場に提供されている。
【０００３】
本出願人も先の特開平１０−１２７６８７号公報、特開平１１−１２８２６７号公報などにおいて、パンツ型使い捨て紙おむつを提案した。前者の特開平１０−１２７６８７号公報において提案したパンツ型使い捨て紙おむつを例に採って説明すれば、このパンツ型使い捨て紙おむつは、図６に示されるように、透液性トップシート５２と、ポリエチレン等からなる不透液性バックシート５３と、これら両シート間に介在された吸収体５４とからなる紙おむつ本体５０の外面側に本体バックシート５１を設けた構造のものである。
【０００４】
前記本体バックシート５１は、表面バックシート５５と裏面バックシート５６との二層構造となっており、これら両シート間５５，５６には、紙おむつの腰部開口部を封止する腰回り弾性伸縮部材５７…，５８…が配設されるとともに、腹部および背部のそれぞれに対してずり落ちを防止するとともに、フィット性を確保するために腹側弾性伸縮部材５９、…および背側弾性伸縮部材６０，…、並びに脚回りを封止する脚回り第１弾性伸縮部材６１，…と脚回り第２弾性伸縮部材６２、…とが設けられている。この脚回り第１弾性伸縮部材６１、…は、一方の脚回りの前身頃Ｆ端から股間部を巡って他方の脚回りの前身頃Ｆ端に連続して配設された１または複数の弾性伸縮部材であり、前記脚回り第２弾性伸縮部材６２、…は、一方の脚回りの後身頃Ｂ端から股間部を巡って他方の脚回りの後身頃Ｂ端に連続して配設された１または複数の弾性伸縮部材である。紙おむつの股間部位では、前記第１弾性伸縮部材６１、…と、第２弾性伸縮部材６２、…とは、交差することなく接近しながら紙おむつの幅方向に沿って配設されている。
【０００５】
前記紙おむつ本体５０は、外面側に不透液性バックシート５３のほぼ全面がホットメルト接着剤によって本体バックシート５１の表面バックシート５５に接着固定されて一体化されている。前述の紙おむつは、略中央の折り畳みラインＬにて前身頃Ｆと後身頃Ｂを重ね合わせ、その両側縁部を超音波溶接法等の溶着方法に接合することによってパンツ型に成形されている。
【０００６】
【発明が解決しようとする課題】
しかしながら、前述したパンツ型使い捨て紙おむつの場合には、その股間部において、脚回り第１弾性伸縮部材６１、…と第２弾性伸縮部材６２、…とによる強い収縮力がそのまま吸収体５４に作用するため、吸収体５４に紙おむつ幅方向の縮こまりが生じて装着者が股間部に不快なゴワ付き感を感じるようになるとともに、吸収体５４の縮こまりによって生じた幅方向の溝やシワから尿等が漏れ出すことがあるなどの問題があった。
【０００７】
また、前記吸収体５４の縮こまり形状がそのまま紙おむつ外面にきっちりと現れるため、製品として外観が悪化するなどの問題もあった。
【０００８】
そこで本発明の主たる課題は、パンツ型使い捨て紙おむつにおいて、股間部における吸収体のゴワ付きを無くすとともに、股間部からの横漏れを確実に防止すること、さらには外観の向上を図ることにある。
【０００９】
【課題を解決するための手段】
前記課題を解決するための本発明は、半剛性の吸収体を含む紙おむつ本体と、内面用バックシート不織布と外面用バックシート不織布とを貼り合わせ、前記紙おむつ本体の外面側に一体的に設けられる本体バックシートとからなり、前記内面用バックシート不織布と外面用バックシート不織布との間に、少なくとも一方の脚回りの前身頃端から股間部を巡って他方の脚回りの前身頃端に連続して配設された１または複数の脚回り第１弾性伸縮部材と、一方の脚回りの後身頃端から股間部を巡って他方の脚回りの後身頃端に連続して配設された１または複数の脚回り第２弾性伸縮部材とを固定し、製品状態で前記本体バックシートの前身頃と後身頃とをその両側部において接合することによってパンツ型としたパンツ型使い捨て紙おむつであって、
前記紙おむつ本体は、前記脚回り第１弾性伸縮部材および脚回り第２弾性伸縮部材が吸収体配設部位を横断している股間領域において前記本体バックシートと非接着とされ、他の領域の全部または一部において接着剤によって接着され一体化されていることを特徴とするものである。
【００１０】
この場合において、前記股間領域における紙おむつ本体の非接着領域は、前記脚回り第１弾性伸縮部材および脚回り第２弾性伸縮部材が紙おむつの脚回りラインに沿って連続し、股間部において紙おむつの幅方向に向きを変えている変曲点を含む領域とすることが望ましい。
【００１１】
【発明の実施の形態】
以下、本発明の実施の形態について図面を参照しながら詳述する。
図１〜図５は本発明に係るパンツ型紙おむつの構造例を示したもので、図１は展開図、図２及び図３はそれぞれ図１のII−II線矢視図、III−III線矢視図である。なお、図面の所要箇所においては接着部位を×印で明示している。
【００１２】
同図に明示されるように、本パンツ型紙おむつは、不織布などからなる透液性トップシート１１と、ポリエチレン等からなる不透液性バックシート１２とにより、綿状パルプなどからなる吸収体本体１３を含む構造の紙おむつ本体１０の外面側に本体バックシート２０が一体的に設けられた構造の紙おむつである。
【００１３】
前記吸収体本体１３は、広い面積の砂時計状の上側吸収体１３Ａと、若干狭い面積の長方形状の下側吸収体１３Ｂとを備え、これらがクレープ紙１３Ｃ、１３Ｄによって囲繞され、全体として変形が可能な半剛性の性質を有するもので、前記上側吸収体１３Ａおよび下側吸収体１３Ｂの内部には粉状の高分子吸収ポリマーが含有されている。
【００１４】
この吸収体本体１３の上面に対して、透液性トップシート１１がほぼ全面においてホットメルト接着剤により固定され、吸収体本体１３の下面に対して不透液性バックシート１２が同じくホットメルト接着剤により固定され、紙おむつ本体１０が構成されている。
【００１５】
前記紙おむつ本体１０に対しては、その外面側に一体的に本体バックシート２０が設けられている。この本体バックシート２０は、内面用バックシート不織布２２と外面用バックシート不織布２１とをホットメルト接着剤によって貼り合わせたもので、周囲にフラップ部を形成するべく、前記紙おむつ本体１０よりも外形が大きく、全体として擬似砂時計形状を成している。
【００１６】
この本体バックシート２０を構成している内面用バックシート不織布２２と外面用バックシート不織布２１との間には、紙おむつを着用者にフィットさせるとともに、尿や便の漏れを防止するために各種機能の弾性伸縮部材が介在され、ホットメルト接着剤によって固定されている。
【００１７】
具体的には、図１に示される展開形状において、前身頃Ｆの開口部および後身頃Ｂの開口部において、たとえば帯ゴムなどからなる、図示例では各４本の腰回り弾性伸縮部材２３…，２４…がそれぞれ設けられている。
【００１８】
また、前身頃Ｆの腹部相当箇所において横方向に沿って、例えば糸ゴムからなる複数本の、図示の例では５本の腹部弾性伸縮部材２５，２５…が設けられるとともに、両端部が腹部相当箇所に位置し、中央部が股下側に膨出する形状の糸ゴムからなる複数本の、図示の例では６本の前身頃持ち上げ用弾性伸縮部材２６，２６…が設けられている。また、後身頃Ｂの前記腹部相当箇所に対応した臀部箇所には横方向に沿ってたとえば糸ゴムからなる複数本の、図示の例では６本の臀部弾性伸縮部材２７，２７…が設けられている。
【００１９】
一方、脚回り部位には、脚回りを封止する１本または複数本の、図示の例では３本の脚回り弾性伸縮部材が設けられている。これら脚回り弾性伸縮部材の配設態様としては、種々の形態が考えられるが、本発明が対象とする配設態様は股間部において前記脚回り弾性伸縮部材が吸収体を横断して配設されている配置態様である。具体的に図示される配置態様は、一方の脚回りの前身頃Ｆ端から股間部を巡って他方の脚回りの前身頃Ｆ端に連続して配設された１または複数の、図示例では３本の脚回り第１弾性伸縮部材２８、２８…と、一方の脚回りの後身頃Ｂ端から股間部を巡って他方の脚回りの後身頃Ｂ端に連続して配設された１または複数の、図示例では３本の脚回り第２弾性伸縮部材２９，２９…とから構成されている。
【００２０】
前記本体バックシート２０と紙おむつ本体１０とは、図４に示されるように、前記脚回り第１弾性伸縮部材２８，２８…および脚回り第２弾性伸縮部材２９，２９…が紙おむつ本体１０を横断している股間領域Ｒにおいて、前記本体バックシート２０と非接着とした状態で一体化、すなわち前記股間領域Ｒを除く他の領域（斜線領域Ｓ）の全部または一部においてホットメルト等の接着剤によって接着され一体化されている。脚回り弾性伸縮部材２８…、２９…が吸収体本体１３を横断している股間部において、紙おむつ本体１０と本体バックシート２０とを非接着とすることにより、前記脚回り第１弾性伸縮部材２８，２８…および脚回り第２弾性伸縮部材２９，２９…による収縮力が直接的に紙おむつ本体１０に導入されることがなくなり、吸収体本体１３の幅方向の縮こまりが大幅に緩和されるようになる。これにより、着用者が股間部位にゴワ付きを感じる事が無くなり、装着性が良好になるとともに、縮こまりによるシワや溝の発生が抑えられるため、股間部からの横漏れを効果的に防止できるようになる。また、紙おむつの外観についても、吸収体本体１３の縮こまりが紙おむつの外面に現れることがなくなるため、見た目も良好となる。
【００２１】
ところで、紙おむつ本体１０の縮こまりを防止する方法として、前記脚回り第１弾性伸縮部材２８，２８…および脚回り第２弾性伸縮部材２９，２９…の張力を前記股間部分においてのみ低減する方法も考えられるが、この方法の場合には、弾性伸縮部材の貼設装置自体の構造変更を必要とするなど生産ラインの大幅な設計変更を伴うようになるため、これによる設備投資が大きな負担となる。本方法であれば、簡単に吸収体の縮こまりを防止し前述した効果を得ることが可能となる。
【００２２】
この場合、前記紙おむつ本体１０と本体バックシート２０との非接着領域は、前記脚回り第１弾性伸縮部材２８，２８…および脚回り第２弾性伸縮部材２９，２９…が紙おむつの脚回りラインに沿って連続し、股間部において紙おむつの幅方向に向きを変えている変曲点Ｐを含む領域とするのが望ましい。前記脚回り第１弾性伸縮部材２８，２８…および脚回り第２弾性伸縮部材２９，２９…の連続線の内、前記変曲点Ｐを含みかつ吸収体幅方向の沿うライン部分を接着領域から外すことにより吸収体本体１３に導入される収縮力を効果的に低減できるようになる。
【００２３】
一方、製品の表面両側にはサイドバリアカフス３０，３０が設けられている。これらのサイドバリアカフス３０，３０は、好ましくは不透液性または撥水性を示す素材のものが好適に使用される。
【００２４】
前記サイドバリアカフス３０は、図２に示されるように、上側吸収体１３Ａの側縁部近傍位置から紙おむつ本体１０の側縁部、すなわち吸収体１３Ａ、１３Ｂ側縁より外方に延在しているクレープ紙１３Ｃ、１３Ｄの側部接合部を越えてさらに不透液性バックシート１２の側縁部までの区間がホットメルト接着剤によって固定され、接着されていない内側シート部分の先端部を二重に折り返すとともに、その内部に１または複数の、図示の例では１本の第１起立用弾性伸縮部材３１が配設され、また前記内側シート部分の前後端部が透液性トップシート１１に対してホットメルト接着剤によって固定されている。その結果、第１起立用弾性伸縮部材３１の前後端部が紙おむつ本体１０に拘束される結果、製品の使用状態において、その中間部のみが自由端となって、第１起立用弾性伸縮部材３１の収縮力に伴って製品の内側に向かって起立し第１バリアカフスＢ１を構成している。
【００２５】
一方の接着されていない外側シート部分についても同様に、その先端部を二重に折り返すとともに、その内部に１または複数の、図示の例では１本の第２起立用弾性伸縮部材３２が配設され、かつこの外側シート部分の内面がその前後端部において紙おむつ本体１０側に固定されている結果、製品の使用状態において、その中間部のみが自由端となって、第２起立用弾性伸縮部材３２の収縮力に伴って製品の内側に向かって起立し第２バリアカフスＢ２を構成している。仮に、尿又は便が前記第１バリアカフスＢ１を越えたとしても第２バリアカフスＢ２によって尿または便を確実にブロックし外部に漏れ出るのを防止するようになっている。
【００２６】
かかる構造の紙おむつを製作したならば、図５に示されるように、本体バックシート２０が折り返しラインＬにて前後方向に折り重ねられ、その両側部が相互に熱溶着またはホットメルト接着剤などによって接合されることによりパンツ型紙おむつが組み立てられる。
【００２７】
本パンツ型紙おむつの場合には、本体バックシート２０が全体として伸縮性を示すため、着用時に本体バックシート２０の全体が身体を締め付けるようにフィットするため、着用者が激しい運動や無理な体勢を取ったとしても、吸収体本体１３が肌から離れることがなく、常時、身体に密着するようになる。
【００２８】
なお、サイドバリアカフス３０の態様は、本例では二重としたが一重であってもよく、本発明の構成上、前記本体バックシート２０に配設される弾性伸縮部材の内、脚回り弾性伸縮部材２８，２９以外の弾性伸縮部材については如何なる配置態様であってもよい。
【００２９】
【発明の効果】
以上詳説のとおり本発明によれば、パンツ型使い捨て紙おむつにおいて、股間部において吸収体の幅方向の縮こまりを無くすことが出来るようになるため、着用者が股間部位における吸収体のゴワ付き感を感じることがなくなり、装着感が良好となる。また、吸収体の縮こまりを無くすことにより大きなシワや溝が形成され無くなるため股間部からの横漏れを確実に防止できるようになる。さらに、外観の向上が図れるようになる。
【図面の簡単な説明】
【図１】  本発明に係るパンツ型紙おむつの展開図である。
【図２】  図１のII−II線矢視図である。
【図３】  図１のIII−III線矢視図である。
【図４】  本体バックシート２０に対する紙おむつ本体１０の接着要領斜視図である。
【図５】  本パンツ型紙おむつの製品状態斜視図である。
【図６】  従来のパンツ型紙おむつを示す展開図である。
【符号の説明】
１０…紙おむつ本体、１１…透液性トップシート、１２…不透液性バックシート、１３…吸収体本体、１３Ａ…上側吸収体、１３Ｂ…下側吸収体、１３Ｃ・１３Ｄ…クレープ紙、２０…本体バックシート、２１…外面用バックシート不織布、２２…内面用バックシート不織布、２３・２４…腰回り弾性伸縮部材、２５…腹部弾性伸縮部材、２６…前身頃持ち上げ用弾性伸縮部材、２７…臀部弾性伸縮部材、２８…脚回り第１弾性伸縮部材、２９…脚回り第２弾性伸縮部材、３０…サイドバリアカフス、３１…第１起立用弾性伸縮部材、３２…第２起立用弾性伸縮部材、Ｂ１…第１バリアカフス、Ｂ２…第２バリアカフス、Ｒ…股間領域
【図１】
0003878367.tif 000002
【図２】
0003878367.tif 000003
【図３】
0003878367.tif 000004
【図４】
0003878367.tif 000005
【図５】
0003878367.tif 000006
【図６】
0003878367.tif 000007